(57)【特許請求の範囲】
【請求項１】
冷水塔に備えられた温水槽の散水口に装着されて下方の充填材に対し温水槽内の温水を分散落下させるようにした散水ノズルであって、
温水槽の散水口に嵌合して掛止し得るよう形成され且つその中心部に温水を落下させる為のノズル孔を開口したノズルヘッドと、該ノズルヘッドの直下に連結されて前記ノズル孔から落下した温水を充填材の並び方向に水膜を成すようにして長方形エリアに対し分散させる温水分散具とを備え、
その温水分散具が、略平坦な分散面を上面に有して前記ノズルヘッドのノズル孔直下に位置するようにした第一の分散プレートと、該第一の分散プレートを挟んで充填材の並び方向と直角な向きに対向配置され且つ双方が下方向きに末広がり状に開くような対向傾斜面を有する一対のストッパと、該各ストッパの対向傾斜面における充填材並び方向の両端に形成した第一のガイドと、前記第一の分散プレートの上方に配置され且つその上面に充填材の並び方向から見て山型を成す断面を有して前記充填材の並び方向に延びる分散面を備え中心部にはノズルヘッドのノズル孔より小さな開口面積のオリフィスを有する第二の分散プレートと、該第二の分散プレートの分散面における充填材並び方向の両端に立設された第二のガイドとにより構成されていることを特徴とする散水ノズル。
【請求項２】
第二の分散プレートの更に上方に配置され且つその上面に充填材の並び方向から見て山型を成す断面を有して前記充填材の並び方向に延びる分散面を備え中心部にはノズルヘッドのノズル孔より小さく且つ第二の分散プレートのオリフィスより大きな開口面積のオリフィスを有する第三の分散プレートと、該第三の分散プレートの分散面における充填材並び方向の両端に立設され且つ該分散面の下り方向に向け末広がり状に開くように形成した第三のガイドとを備えたことを特徴とする請求項１に記載の散水ノズル。
【請求項３】
ノズルヘッド下面におけるノズル孔を挟んだ充填材並び方向の両端に下方向きに延びる一対のアーム部を設け、該各アーム部を介して温水分散具をノズルヘッドに連結したことを特徴とする請求項１又は２に記載の散水ノズル。
【請求項４】
温水分散具の外形寸法が温水槽の散水口の口径内に収まるように構成したことを特徴とする請求項１、２又は３に記載の散水ノズル。
【発明の詳細な説明】
【０００１】
【発明の属する技術分野】
本発明は、冷水塔の温水槽に適用する為の散水ノズルに関するものである。
【０００２】
【従来の技術】
従来より、温水槽の下面に開口した複数の散水口から温水槽直下の充填材に温水を散水し、該充填材の表面を流下する温水に外気を直接接触させて温水を冷却するようにした冷水塔が知られているが、この種の冷水塔においては、充填材で温水と直接接触して熱交換を行った外気が、昇温されると同時に湿度が略１００％の湿り空気となるので、この湿り空気をそのまま冷水塔頂部の排気口から外部に排出すると、冬期等における外気温度が低い場合に白煙を生じることがある。
【０００３】
このような白煙の発生は、外気を汚染しているかの如き誤解を近隣居住者等に与える結果となり、また、白煙が地上に降りて周囲に霧のように立ちこめることにより視界不良を招く等の不具合があるので、白煙を極力発生させないようにする要求が高まっている。
【０００４】
この為、近年においては、図１１に示す如く、ポリ塩化ビニル等の合成樹脂シートの表面に凹凸を付して成る充填材１を多数並列に起立させて備えることにより相互間に外気の通気流路２を確保した構造とし、しかも、互いに外気の通気流路２を隔絶した常時湿式領域３と湿式・乾式切替領域４とに夫々区分して交互に配置し、湿式・乾式切替領域４を常時湿式領域３とは別に散水し得るよう湿式・乾式切替領域４の各列に対応させて温水槽５下面に散水管６等を配設する一方、前記温水槽５の散水口７を常時湿式領域３にのみ連通するようにした冷水塔が提案されている。
【０００５】
即ち、このような冷水塔によれば、白煙が発生する虞れが無い時（外気温度が高い時）に、温水槽５内に温水８を供給すると共に、各散水管６に対し温水８を略均等に分配して供給すると、温水槽５下面の散水口７から充填材１の常時湿式領域３に対し温水８が散水されると共に、各散水管６下面の散水孔９から充填材１の湿式・乾式切替領域４に対しても温水８が散水されるので、常時湿式領域３と湿式・乾式切替領域４の両方に散水が行われて充填材１の全領域で外気による温水８の直接冷却が効果的に行われる。
【０００６】
一方、白煙が発生する虞れがある時（外気温度が低い時）に、各散水管６への温水８の供給を遮断すると、温水８が散水されている常時湿式領域３での外気による温水８の直接冷却と、温水８が散水されていない湿式・乾式切替領域４を流通する外気の乾式加熱とが同時に行われ、直接冷却によって生じる湿り空気に、乾式加熱によって生じる乾き空気が混合されて白煙の発生が防止されることになる。
【０００７】
ここで、図１１に図示した例における常時湿式領域３は、三列分の通気流路２を一単位として形成され、また、湿式・乾式切替領域４は、一列分の通気流路２を一単位として形成されており、前記湿式・乾式切替領域４を形成する充填材１の上端は、温水槽５下面に配設された散水管６の両側面に沿わされて上方へと延長されており、隣の常時湿式領域３からの温水８の侵入を阻止し得るようにしてある。
【０００８】
そして、温水槽５の散水口７から前記常時湿式領域３に温水８を散水するに際しては、従来より一般的な冷水塔の温水槽５について用いられてきた散水ノズル１０を使用して温水８の散水を行うことが考えられている。
【０００９】
即ち、図１２及び図１３に詳細に示す如く、従来の散水ノズル１０は、温水槽５の散水口７に嵌合掛止し得るように形成され且つ中心部に温水８を下方へ落とすノズル孔１１を有するノズルヘッド１２と、該ノズルヘッド１２下面両側から下方へ延びる一対のアーム部１３と、該各アーム部１３の最下端に保持されて前記ノズルヘッド１２のノズル孔１１の直下に配置されるようにした円錐形状を成す第一の分散プレート１４と、該第一の分散プレート１４の上方に前記各アーム部１３により保持されて配置され且つ中心部にオリフィス１５を開口したリング形状を成す第二の分散プレート１６と、該第二の分散プレート１６の上方に前記各アーム部１３により保持されて配置され且つ中心部に前記オリフィス１５より大きなオリフィス１７を開口したリング形状を成す第三の分散プレート１８とを備えた構造となっており、前記ノズルヘッド１２のノズル孔１１から落下した温水８が第一の分散プレート１４、第二の分散プレート１６、第三の分散プレート１８の各段で放射状に分散されて散水されるようになっている。
【００１０】
尚、図中のノズルヘッド１２の上端外周には、温水槽５の散水口７に嵌合した時に温水槽５の底面に対し掛止されるようにした鍔部１９が形成されており、ノズルヘッド１２における鍔部１９より下方の左右両側には、ノズルヘッド１２の上方への抜脱を防止する為の抜脱防止爪２０がノズルヘッド１２の半径方向に弾性変形し得るよう設けられ、また、ノズルヘッド１２の鍔部１９より下方の前後位置には、上向きに鋸歯形状を成して上下に延びる一対の抜脱防止ストッパ２１が夫々設けられている。
【００１１】
【発明が解決しようとする課題】
しかしながら、前述した如き従来の散水ノズル１０においては、図１４に平面的に示すように、三列分の通気流路２を一単位とした細長い長方形エリアを成す常時湿式領域３に対し、散水ノズル１０のノズル孔１１（図１３参照）を中心としたＡ，Ｂ，Ｃの同心円状に温水８がスカート状に散水されることになるので、例えば第二の分散プレート１６及び第三の分散プレート１８により図１４中にＢ，Ｃで示すような分散半径の大きな散水が行われた際に、常時湿式領域３を湿式・乾式切替領域４と隔絶するよう上方に延びている図１４中の左右両外側の充填材１に対し、前記Ｂ，Ｃの散水のうちの仮想線（二点鎖線）で示す散水分に相当する多量の温水８が衝突してしまい、三列の通気流路２のうちの幅方向外側の通気流路２にばかり偏った散水が成されて各通気流路２に対する均一な散水が阻害され、設計通りの温水冷却効果や白煙防止効果を得ることができなくなる虞れがあった。
【００１２】
本発明は上述の実情に鑑みてなしたもので、充填材の相互間の各通気流路に対し均一性の高い良好な散水を行い得る散水ノズルを提供することによって、散水むらによる冷水塔の性能低下を回避することを目的としている。
【００１３】
【課題を解決するための手段】
本発明は、冷水塔に備えられた温水槽の散水口に装着されて下方の充填材に対し温水槽内の温水を分散落下させるようにした散水ノズルであって、
温水槽の散水口に嵌合して掛止し得るよう形成され且つその中心部に温水を落下させる為のノズル孔を開口したノズルヘッドと、該ノズルヘッドの直下に連結されて前記ノズル孔から落下した温水を充填材の並び方向に水膜を成すようにして長方形エリアに対し分散させる温水分散具とを備え、
その温水分散具が、略平坦な分散面を上面に有して前記ノズルヘッドのノズル孔直下に位置するようにした第一の分散プレートと、該第一の分散プレートを挟んで充填材の並び方向と直角な向きに対向配置され且つ双方が下方向きに末広がり状に開くような対向傾斜面を有する一対のストッパと、該各ストッパの対向傾斜面における充填材並び方向の両端に形成した第一のガイドと、前記第一の分散プレートの上方に配置され且つその上面に充填材の並び方向から見て山型を成す断面を有して前記充填材の並び方向に延びる分散面を備え中心部にはノズルヘッドのノズル孔より小さな開口面積のオリフィスを有する第二の分散プレートと、該第二の分散プレートの分散面における充填材並び方向の両端に立設された第二のガイドとにより構成されていることを特徴とするものである。
【００１４】
従って、本発明では、ノズルヘッドのノズル孔から第二の分散プレートのオリフィス及びその周囲の分散面に温水が落下し、このうちのオリフィスに落下した温水は、そのまま第一の分散プレートの分散面上まで落ちて周囲に分散し、その大半が第一の分散プレートを挟んで対向配置された各ストッパの対向傾斜面に衝突して該対向傾斜面に沿い斜めに流下し、その両端の第一のガイドにより幅の拡がり角を規定された水膜を成して充填材の並び方向に分散され、他方、第二の分散プレートの分散面に落下した温水は、該分散面の山型の断面形状により充填材の並び方向と直角な向きの前後に振り分けられて夫々斜めに流下し、その両端の第二のガイドにより幅の拡がり角を規定された水膜を成して充填材の並び方向に分散されることになる。
【００１５】
このように充填材の並び方向に水膜を成すように温水を分散させれば、充填材の面に対し衝突するような向きに散水が成されなくなり、充填材の相互間に形成される各通気流路に対し均等に温水を振り分けて均一性の高い良好な散水を行うことが可能となるので、散水むらによる冷水塔の性能低下を回避することが可能となる。
【００１６】
また、本発明においては、第二の分散プレートの更に上方に配置され且つその上面に充填材の並び方向から見て山型を成す断面を有して前記充填材の並び方向に延びる分散面を備え中心部にはノズルヘッドのノズル孔より小さく且つ第二の分散プレートのオリフィスより大きな開口面積のオリフィスを有する第三の分散プレートと、該第三の分散プレートの分散面における充填材並び方向の両端に立設され且つ該分散面の下り方向に向け末広がり状に開くように形成した第三のガイドとを備えるようにしても良い。
【００１７】
このようにすれば、ノズルヘッドのノズル孔から落下した温水が、第二の分散プレートに落ちる前に第三のオリフィス及びその周囲の分散面に落下して該分散面の山型の断面形状により充填材の並び方向と直角な向きの前後に振り分けられて夫々斜めに流下し、その両端の第三のガイドにより幅の拡がり角を規定された水膜を成して充填材の並び方向に分散されることになるので、第一の分散プレート及びストッパと第二の分散プレートとにより形成される四層の水膜に第三の分散プレートによる二層の水膜を加えて計六層の水膜による散水を行うことが可能となる。
【００１８】
更に、ノズルヘッドの直下に温水分散具を連結するにあたっては、ノズルヘッド下面におけるノズル孔を挟んだ充填材並び方向の両端に下方向きに延びる一対のアーム部を設け、該各アーム部を介して温水分散具をノズルヘッドに連結することが好ましく、このようにすれば、ノズルヘッドのノズル孔から落下する温水と干渉させないように各アーム部を配置して温水分散具を支障なくノズルヘッド直下に連結することが可能となる。
【００１９】
尚、温水分散具の外形寸法が温水槽の散水口の口径内に収まるように構成することが好ましく、このようにすれば、温水槽の散水口に散水ノズルを装着するに際し、散水口に対し上方から温水分散具を挿通させ、そのままノズルヘッドを散水口に嵌合して掛止させるようにすれば済むので、散水ノズルの装着を温水槽内から極めて簡単に行うことが可能となり、作業性の悪い温水槽下面での装着作業が全く不要となる。
【００２０】
【発明の実施の形態】
以下本発明の実施の形態を図面を参照しつつ説明する。
【００２１】
図１〜図８は本発明を実施する形態の一例を示すもので、図１１と同一の符号を付した部分は同一物を表わしている。
【００２２】
図１に示す如く、本形態例の散水ノズル２２においては、温水槽５の散水口７に嵌合して掛止し得るよう形成され且つその中心部に温水８を落下させる為のノズル孔２３（図３、図５、図６参照）を開口したノズルヘッド２４と、該ノズルヘッド２４の直下に連結されて前記ノズル孔２３から落下した温水８を充填材１の並び方向（図１における左右方向）に水膜を成すようにして長方形エリアに対し分散させる温水分散具２５とを備えて構成されており、該温水分散具２５は、その外形寸法が温水槽５の散水口７の口径内に収まるように構成されている。
【００２３】
そして、図２〜図８に前記散水ノズル２２についての詳細を示す如く、ここに図示されているノズルヘッド２４は、従来の散水ノズルのノズルヘッドと略同様に形成されており、その上端外周には、温水槽５の散水口７に嵌合した時に温水槽５の底面に対し掛止されるようにした鍔部２６が形成され、ノズルヘッド２４における鍔部２６より下方の左右両側には、ノズルヘッド２４の上方への抜脱を防止する為の抜脱防止爪２７がノズルヘッド２４の半径方向に弾性変形し得るよう設けられ、また、ノズルヘッド２４の鍔部２６より下方の前後位置には、上向きに鋸歯形状を成して上下に延びる一対の抜脱防止ストッパ２８が夫々設けられている。
【００２４】
また、ノズルヘッド２４の下面におけるノズル孔２３を挟んだ充填材１の並び方向の両端には、下方向きに延びる一対のアーム部２９が設けられており、該各アーム部２９を介して前記温水分散具２５がノズルヘッド２４に対し連結されるようになっている。
【００２５】
更に、前記温水分散具２５の具体的な構造につき以下に詳述すると、この温水分散具２５は、略平坦な分散面３０を上面に有して前記ノズルヘッド２４のノズル孔２３直下に位置するようにした第一の分散プレート３１と、該第一の分散プレート３１を挟んで充填材１の並び方向と直角な向き（図３及び図４における左右方向の向き）に対向配置され且つ双方が下方向きに末広がり状に開くような対向傾斜面３２を有する一対のストッパ３３と、該各ストッパ３３の対向傾斜面３２における充填材１の並び方向の両端に互いに下方向きに末広がり状に開くように形成した第一のガイド３４（特に図７参照）と、前記第一の分散プレート３１の上方に配置され且つその上面に充填材１の並び方向から見て山型を成す断面を有して前記充填材１の並び方向に延びる分散面３５（特に図３参照）を備え中心部にはノズルヘッド２４のノズル孔２３より小さな開口面積とした矩形状のオリフィス３６を有する第二の分散プレート３７と、該第二の分散プレート３７の分散面３５における充填材１の並び方向の両端に立設され且つ該分散面３５の下り方向に向け末広がり状に開くように形成した第二のガイド３８（特に図８参照）とにより構成されている。
【００２６】
ここで、第二の分散プレート３７の分散面３５が成す山型は、図示する如き蒲鉾型の曲面形状に仕上げることが好ましく、このような曲面形状を採用すれば、前記分散面３５に落下した温水８に余計な衝撃を与えずに円滑に水膜状に流し落とすことが可能である。
【００２７】
そして、第一の分散プレート３１は、第二の分散プレート３７の下面におけるオリフィス３６を挟んだ左右両端部から下方向きに延びる連結部３９を介して支持されており、また、各ストッパ３３の上端部は、第二の分散プレート３７の下面に対して連結され、更に、各アーム部２９の下端部は、第二のガイド３８の夫々の外側面に対して連結されている。
【００２８】
尚、第一の分散プレート３１及び第二の分散プレート３７における充填材１の並び方向の両端は、該並び方向と直角な向きから見て鋭角なエッジ部を成すように形成されており、この部分から水膜状に落下せずに表面をつたって各分散プレートの下面側に回り込んでしまうような流れが生じないようにしてある。
【００２９】
而して、このように構成された散水ノズル２２では、ノズルヘッド２４のノズル孔２３から第二の分散プレート３７のオリフィス３６及びその周囲の分散面３５に温水８が落下し、このうちのオリフィス３６に落下した温水８は、そのまま第一の分散プレート３１の分散面３０上まで落ちて周囲に分散するが、該分散面３０の左右両端部に向かう流れが連結部３９に堰き止められることにより、その温水８の大半が第一の分散プレート３１を挟んで対向配置された各ストッパ３３の対向傾斜面３２に衝突して該対向傾斜面３２に沿い斜めに流下し、その両端の第一のガイド３４により幅の拡がり角を規定された水膜を成して充填材１の並び方向に分散され、他方、第二の分散プレート３７の分散面３５に落下した温水８は、該分散面３５の山型の断面形状により充填材１の並び方向と直角な向きの前後に振り分けられて夫々斜めに流下し、その両端の第二のガイド３８により幅の拡がり角を規定された水膜を成して充填材１の並び方向に分散されることになる。
【００３０】
このように充填材１の並び方向に水膜を成すように温水８を分散させれば、充填材１の面に対し衝突するような向きに散水が成されなくなり、充填材１の相互間に形成される各通気流路２に対し均等に温水８を振り分けて均一性の高い良好な散水を行うことが可能となるので、散水むらによる冷水塔の性能低下を回避することが可能となる。
【００３１】
従って、上記形態例によれば、充填材１の相互間の各通気流路２に対し均一性の高い良好な散水を行うことができるので、例えば図１に示すように、三列分の通気流路２を一単位とした細長い長方形エリアを成す常時湿式領域３に対し均一性の高い散水を行って、設計通りの温水冷却効果や白煙防止効果を得ることができ、散水むらによる冷水塔の性能低下を回避することができる。
【００３２】
ただし、本形態例では、常時湿式領域３と湿式・乾式切替領域４とを区分して備えた白煙防止タイプの冷水塔の場合で例示しているが、このような領域区分を採用していない通常タイプの冷水塔に適用しても均一性の高い良好な散水を行い得て散水むらによる性能低下を回避することが勿論可能である。
【００３３】
また、図示の如きアーム部２９によりノズルヘッド２４の直下に温水分散具２５を連結するようにすれば、ノズルヘッド２４のノズル孔２３から落下する温水８と干渉させないように各アーム部２９を配置して温水分散具２５を支障なくノズルヘッド２４直下に連結することができる。
【００３４】
更に、前述したように、温水分散具２５の外形寸法が温水槽５の散水口７の口径内に収まるように構成すれば、温水槽５の散水口７に散水ノズル２２を装着するに際し、散水口７に対して上方から温水分散具２５を挿通させ、そのままノズルヘッド２４を散水口７に嵌合して掛止させるようにすれば済むので、散水ノズル２２の装着を温水槽５内から極めて簡単に行うことができ、作業性の悪い温水槽５下面での装着作業を全く不要とすることができる。
【００３５】
図９及び図１０は本発明の別の形態例を示すもので、第二の分散プレート３７の更に上方に第三の分散プレート４０を配置したものであり、この第三の分散プレート４０は、その上面に充填材１の並び方向から見て山型を成す断面を有して前記充填材１の並び方向に延びる分散面４１を備え、その中心部にはノズルヘッド２４のノズル孔２３より小さく且つ第二の分散プレート３７のオリフィス３６より大きな開口面積のオリフィス４２を有しており、該第三の分散プレート４０の分散面４１における充填材１の並び方向の両端には、前記分散面４１の下り方向に向け末広がり状に開くように第三のガイド４３が形成されている。
【００３６】
このようにすれば、ノズルヘッド２４のノズル孔２３から落下した温水８が、第二の分散プレート３７に落ちる前に第三の分散プレート４０のオリフィス４２及びその周囲の分散面４１に落下して該分散面４１の山型の断面形状により充填材１の並び方向と直角な向きの前後に振り分けられて夫々斜めに流下し、その両端の第三のガイド４３により幅の拡がり角を規定された水膜を成して充填材１の並び方向に分散されることになるので、第一の分散プレート３１及びストッパ３３と第二の分散プレート３７とにより形成される四層の水膜に第三の分散プレート４０による二層の水膜を加えて計六層の水膜による散水を行うことが可能となる。
【００３７】
尚、本発明の散水ノズルは、上述の形態例にのみ限定されるものではなく、例えばノズルヘッドは、温水槽の散水口に嵌合して掛止し得るよう形成され且つその中心部に温水を落下させる為のノズル孔を開口したものであれば良く、必ずしも図示の如き従来と同じ形状のノズルヘッドを採用しなくても良いこと、その他、本発明の要旨を逸脱しない範囲内において種々変更を加え得ることは勿論である。
【００３８】
【発明の効果】
上記した本発明の散水ノズルによれば、下記の如き種々の優れた効果を奏し得る。
【００３９】
（Ｉ）本発明の請求項１に記載の発明によれば、充填材の相互間の各通気流路に対し均一性の高い良好な散水を行うことができるので、散水むらによる冷水塔の性能低下を回避することができる。
【００４０】
（ＩＩ）本発明の請求項２に記載の発明によれば、第一の分散プレート及びストッパと第二の分散プレートとにより形成される四層の水膜に第三の分散プレートによる二層の水膜を加えて計六層の水膜による散水を行うことができる。
【００４１】
（ＩＩＩ）本発明の請求項３に記載の発明によれば、ノズルヘッドのノズル孔から落下する温水と干渉させないように各アーム部を配置して温水分散具を支障なくノズルヘッド直下に連結することができる。
【００４２】
（ＩＶ）本発明の請求項４に記載の発明によれば、温水槽の散水口に散水ノズルを装着するに際し、散水口に対し上方から温水分散具を挿通させ、そのままノズルヘッドを散水口に嵌合して掛止させるようにすれば済むので、散水ノズルの装着を温水槽内から極めて簡単に行うことができ、作業性の悪い温水槽下面での装着作業を全く不要とすることができる。
【図面の簡単な説明】
【図１】本発明を実施する形態の一例を示す全体図である。
【図２】図１の散水ノズルの詳細を示す正面図である。
【図３】図２のＩＩＩ−ＩＩＩ方向の矢視図である。
【図４】図２のＩＶ−ＩＶ方向の矢視図である。
【図５】図４のＶ−Ｖ方向の矢視図である。
【図６】図２のＶＩ−ＶＩ方向の矢視図である。
【図７】図４のＶＩＩ−ＶＩＩ方向の矢視図である。
【図８】図２のＶＩＩＩ−ＶＩＩＩ方向の矢視図である。
【図９】本発明の別の形態例を示す正面図である。
【図１０】図９のＸ−Ｘ方向の矢視図である。
【図１１】従来例を示す全体図である。
【図１２】図１１の散水ノズルの詳細を示す正面図である。
【図１３】図１２のＸＩＩＩ−ＸＩＩＩ方向の矢視図である。
【図１４】従来の散水ノズルによる散水状態を平面的に示す説明図である。
【符号の説明】
１  充填材
５  温水槽
７  散水口
８  温水
２２  散水ノズル
２３  ノズル孔
２４  ノズルヘッド
２５  温水分散具
２９  アーム部
３０  分散面
３１  第一の分散プレート
３２  対向傾斜面
３３  ストッパ
３４  第一のガイド
３５  分散面
３６  オリフィス
３７  第二の分散プレート
３８  第二のガイド
３９  連結部
４０  第三の分散プレート
４１  分散面
４２  オリフィス
４３  第三のガイド
【図１】
0004491869.tif 000002
【図２】
0004491869.tif 000003
【図３】
0004491869.tif 000004
【図４】
0004491869.tif 000005
【図５】
0004491869.tif 000006
【図６】
0004491869.tif 000007
【図７】
0004491869.tif 000008
【図８】
0004491869.tif 000009
【図９】
0004491869.tif 000010
【図１０】
0004491869.tif 000011
【図１１】
0004491869.tif 000012
【図１２】
0004491869.tif 000013
【図１３】
0004491869.tif 000014
【図１４】
0004491869.tif 000015